(57)【要約】建築パネルはプレスにより形成されたコンクリートスラブ内に埋められた強化網を持つ。この強化網はワイヤーロッドから形成され、それらのワイヤーロッドのそれぞれは少なくとも一つの平坦面を持つ。それらのロッドはワイヤーロッド間の接触がある面積に渡って起こるように互いに接触するロッドの平坦面により一緒に溶接される。この種のワイヤー網は顕著に強化された溶接剪断強さを持つ。パネルはコンクリート混合物が緻密で一般的に均一となるようにプレスにより形成される。かかるパネルの高構造強度はそれらをブロックアンドビーム基礎を構築するのに使用するために、かつ壁、天井及び床張りに使用するために理想的とする。【特許請求の範囲】
【請求項１】
一緒に溶接されたワイヤーロッドから形成された強化網を持つ建築パネルにおいて、ワイヤーロッド間の接触がある面積に渡って起こるように、ワイヤーロッドのそれぞれが少なくとも一つの平坦面を持ち、それらのロッドが互いに接触するロッドの平坦面により一緒に溶接されていること、この強化網がプレスにより形成されたコンクリートスラブ内に埋められていることを特徴とするパネル。
【請求項２】
コンクリートスラブの少なくとも一つの面が装飾仕上げまたは被覆により形成されていることを特徴とする請求項１に記載のパネル。
【請求項３】
スラブを形成するコンクリート混合物が、スラブが緻密で一般的に均一であるような寸法範囲の粒子を含むことを特徴とする請求項１に記載のパネル。
【請求項４】
粒子が１０ｍｍの直径から微粉までの範囲にわたることを特徴とする請求項３に記載のパネル。
【請求項５】
請求項１から４のいずれかに記載の少なくとも一つのパネルと前記パネルをその縁及び／または隅で支持するための手段とを含むことを特徴とする床。
【請求項６】
パネルを支持するための手段が少なくとも一つのプレキャストコンクリートビームを含むことを特徴とする請求項５に記載の床。
【請求項７】
請求項１から４のいずれかに記載の少なくとも一つのパネルを含むことを特徴とする壁。
【請求項８】
請求項１から４のいずれかに記載の少なくとも一つのパネルを含むことを特徴とする天井。
【請求項９】
建築パネルを形成する方法において、ワイヤーロッド間の接触がある面積に渡って起こるように、ワイヤーロッドのそれぞれが少なくとも一つの平坦面を持ち、それらのロッドが互いに接触するロッドの平坦面により一緒に溶接されている、一緒に溶接されたワイヤーロッドから形成された強化網をコンクリート内に埋めること、及びコンクリートと強化網をプレスによりスラブに形成することを含むことを特徴とする方法。
【請求項１０】
スラブの少なくとも一つの面に装飾仕上げまたは被覆を形成することを更に含むことを特徴とする請求項９に記載の方法。
【請求項１１】
スラブを形成するコンクリート混合物が、スラブが緻密で一般的に均一であるような寸法範囲の粒子を含むことを特徴とする請求項９または１０に記載の方法。
【請求項１２】
粒子が１０ｍｍの直径から微粉の範囲にわたることを特徴とする請求項１１に記載の方法。
【発明の詳細な説明】
【０００１】
本発明は改良された建築パネル、特に上げ床または他の建築要素を構成するのに使用する改良されたパネルに関する。
【０００２】
現代建築において、電力、データまたは同様物が床領域の中央の地点に提供されるべきであるとき健康障害を起こすケーブルを引きずることなしに建築物の広い領域に渡って配管、電気ケーブル、データケーブル、及び同様物が設けられねばならない場合が多い。これらの要求を処理する一つの好適な方法は配管が隠されることのできる空隙を下に持つ上げ床を設けることである。全床領域がその下の空隙への接近を提供するために意図的に持ち上げられることのできるパネルから構成されることができるか、または取り外し可能なパネルがより永久的な床構造内に間隔を置いて設けられることができるかのいずれかである。
【０００３】
現在、上述の上げ床構造の種類の中で使用に適した現時点で市販されている床張りパネルの唯一の形式は次のようなものである：
ａ）　コンクリートスラリーまたは石膏のいずれかで充填された内部空間を持つ平坦なスチール上板に溶接された単純または縁異形スチールトレー、
ｂ）　内側にチップボードのスラブと上部にプレートまたは錫めっきトレーのいずれかを持つ単純なスチールトレー。
【０００４】
現在入手可能な製品は多数の欠点を持つ。例えば、形式（ａ）が切断されるとき、これは充填物の脱落、従ってその負荷支持能力の減少をもたらす。形式（ｂ）はチップボード芯への湿気の影響を被り、設置に対し乾燥現場条件を必要とする。更に、パネルの縁はそれらが切断された後に耐火性等級に従うように覆われねばならない。両パネルの金属はまた、腐蝕を起こす湿分により影響を受ける。もし腐蝕が検知されないと、パネルは安全でなくなり、崩壊を受けやすい。
【０００５】
本発明によれば、一緒に溶接されたワイヤーロッドから形成された強化網を持つ建築パネルが提供される。ワイヤーロッド間の接触がある面積に渡って起こるように、これらのワイヤーロッドのそれぞれは少なくとも一つの平坦面を持ち、これらのロッドは互いに接触するロッドの平坦面により一緒に溶接されており、この強化網はプレスにより形成されたコンクリートスラブ内に埋められている。
【０００６】
本発明のパネルは湿分また腐蝕により影響を受けない。なぜなら一旦形成されるとそれはそれが設置された建築構造の組織に似た材料であるからである。それは湿分または腐蝕により影響を受けないので、パネルはどのような気候でも全ての種類の厳しい気象状態に曝される建築物内にも設置されることができる。
【０００７】
本発明のパネルは特に強い。現在入手しうる他の強化コンクリートパネルは、同じ構造強度を与えながら本発明のパネルと同じ薄さで製造されることができない。完成パネルの強度は意図した特別の適用に適するように選ばれることができる。
【０００８】
本発明のパネルはまた、パネルに適用される別個のボンディング仕上げの必要がないことで有利である。この仕上げは事実上製造工程の一部である。更に、異なる美的効果を与える多数の異なる仕上げが可能である。例えば、パネルはみかげ石、大理石、石またはテラゾ仕上げを模造するように仕上げることができる。
【０００９】
上述のように、本発明のパネルは床張り用に適しており、特に幾つかの既知の床構造の代わりに有用である。例えば、ブロックアンドビーム床はプレキャストビームと軽量ブロックを用い、それらは次いで上張りセメントスクリード（ｓｃｒｅｅｄ）により強化される。本発明のパネルは別個の強化またはセメントスクリードを必要とすることなく、従って現場での湿作業を必要とすることなく、完成した床を提供するために軽量ブロックの代わりに用いることができる。
【００１０】
本発明によるパネルの重量等級は鉄道駅や飛行場ターミナルの開放コンコース領域で、及びショッピングモールやスーパーストアーで用いられることができる。これらの場所の全てにおいて、伝統的な床張りは耐磨耗性表面を提供するためにセメント床内に設置された大量のテラゾの形であった。
【００１１】
同様に耐磨耗性床は本発明のパネルを用いて提供されることができるが、パネルが床の下の配管導管及び同様物への接近を提供するために容易に持ち上げられることができるという追加の利点を持つ。
【００１２】
本発明のパネルは特に床張り用途に用いるのに適しているけれども、それはまた、丈夫で万能的な仕上げが要求されるところ、例えば鉄道駅または他の同様な公共使用場所のカーテン壁または仕切りとして用いられることができる。
【００１３】
本発明の更なる態様は建築パネルを製造する方法を提供し、この方法は一緒に溶接されたワイヤーロッドから形成された強化網を準備することを含み、ワイヤーロッド間の接触がある面積に渡って起こるように、このワイヤーロッドのそれぞれは少なくとも一つの平坦面を持ち、これらのロッドは互いに接触するロッドの平坦面により一緒に溶接されており；更にこの網をコンクリート中に埋めること及びコンクリートと強化網をプレスによりスラブに形成することを含む。
【００１４】
本発明によるパネルの例は今や例として詳細に説明されるであろう。
【００１５】
パネルはコンクリート混合物中に埋められたスチール強化網芯を含む。網とコンクリートは型中に置かれ、次いで多段プレス内に置かれる。
【００１６】
スチール強化網芯は一緒に溶接されたワイヤーロッドの格子から形成される。ワイヤーロッド間の接触がある面積に渡って起こるように、ワイヤーロッドのそれぞれは少なくとも一つの平坦面を持ち、それらのロッドは互いに接触するロッドの平坦面により一緒に溶接されている。例えば公開された英国特許出願２２９９１００号に記載されたこの種のワイヤー網は顕著に強化された溶接剪断強さを持つ。
【００１７】
網が埋められるコンクリート混合物は特に均一であるように配合される。それは得られるコンクリートが非常に緻密で硬化したとき非常に高い強度のものであるように、１０ｍｍ以下から微粉の寸法の粒子範囲を用いて作られる。
【００１８】
コンクリート混合物は高圧プレス内に置かれ、強化網が次いでその上に置かれる。圧力がプレスを用いて適用され、網をコンクリート混合物中に強制し、水を追い出す。圧力下で成分各部は合体され、コンクリート混合物内の化学反応がコンクリートを強化網を閉ざした固体スラブに結合する。
【００１９】
適用された圧力は一般的に平方インチ当り４５０トンより大きく、７０ニュートンより大きいコンクリートを生成する。
【００２０】
パネルの寸法は典型的には６００×６００ｍｍ平方であり、要求される負荷に依存して深さは２０ｍｍから５０ｍｍである。
【００２１】
パネルは未仕上げ状態で供給されることができ、または製造工程中に上部表面中に適用された多数の砕石、例えば大理石粒を持つことができ、それは次いで磨かれてテラゾ仕上げを与えることができる。
【００２２】
典型的には床構造においてパネルは各隅でスチールペデスタルまたはコンクリートブロックのいずれかにより支持されるであろう。パネルはこの方法で支持されたとき必要な負荷を支持するのに十分に強くて硬い。
【００２３】
上述のように、本発明のパネルはまた、多くの用途のためにプレキャストコンクリートビーム上に支持されることができる。パネルの高構造強度がスラブを本発明によるプレハブパネルで置き換えて建築物の現場のブロックアンドビーム基礎を構築する用途に対して理想的とする。これは建築物の基礎を固めるのに使用する大量の湿ったコンクリートと骨材に対する要求を排除する。
【００２４】
このパネルはまた、セメント床内に設置されねばならない大面積のテラゾ床を置き換えるのに使用されることができる。上述のパネルは床の下の空隙部内にサービスのための作業領域を与えるように懸垂されることができる。各パネルは容易に持ち上げることができるので、修正が必要なときに伝統的なテラゾ床の費用の掛かる除去の必要性が避けられ、時間と金銭の顕著な節約をもたらす。更にもし床のある領域が損傷したなら、個々のパネルは容易に置き換えることができる。
【００２５】
本発明のパネルは容易に切断され形状付けられ、床及び壁の形状に関して柔軟性を提供し、苛酷な条件に影響されにくく、できるだけ長く固体石または大理石製品を長持ちさせる。
【国際公開パンフレット】
2004501299.tif 000002
2004501299.tif 000003
2004501299.tif 000004
2004501299.tif 000005
2004501299.tif 000006
2004501299.tif 000007
2004501299.tif 000008
2004501299.tif 000009
2004501299.tif 000010
【国際調査報告】
2004501299.tif 000011
2004501299.tif 000012